(57)【要約】【課題】選局を迅速に行うことができる放送受信装置、放送受信システムおよび放送受信方法を提供する。【解決手段】互いに異なる放送方式の放送局を含む、複数の放送局を識別する複数の局識別情報を含むテーブルを記憶する記憶部と、選択する放送局を指定する指定情報を受け付ける受付部と、前記指定情報および前記テーブルに基づいて、選択する放送局を決定する決定部と、前記決定された放送局からの番組を再生する再生部と、を具備することを特徴とする。【選択図】図１
2009290577.tif 000002
【特許請求の範囲】
【請求項１】
互いに異なる放送方式の放送局を含む、複数の放送局を識別する複数の局識別情報を含むテーブルを記憶する記憶部と、
選択する放送局を指定する指定情報を受け付ける受付部と、
前記指定情報および前記テーブルに基づいて、選択する放送局を決定する決定部と、
前記決定された放送局からの番組を再生する再生部と、
を具備することを特徴とする放送受信装置。
【請求項２】
前記テーブルが、複数の放送局を複数のグループに区分するグループ区分情報をさらに含み、
前記指定情報が、前記複数のグループのいずれかに属する放送局を指定することを特徴とする請求項１に記載の放送受信装置。
【請求項３】
前記複数のグループは、互いに異なる放送方式にそれぞれ対応することを特徴とする請求項２に記載の放送受信装置。
【請求項４】
前記決定部は、前記指定情報および前記テーブルに基づいて、現在選択されている放送局が属するグループと異なるグループに属する放送局を選択することを特徴とする請求項２または３に記載の放送受信装置。
【請求項５】
前記テーブルが、前記複数のグループそれぞれに属する放送局を互いに対応づける対応情報を含み、
前記決定部は、前記指定情報および前記テーブルに基づいて、現在選択されている放送局と対応し、かつ属するグループが異なる放送局を選択することを特徴とする請求項２乃至４のいずれか１項に記載の放送受信装置。
【請求項６】
前記テーブルが、複数の放送局の放送方式を互いに識別する方式識別情報と、放送方式が同一の放送局間での順序を識別する順序識別情報とをさらに含むことを特徴とする請求項１に記載の放送受信装置。
【請求項７】
前記指定情報が、現在選択されている放送局より順序が前または後の放送局を指定することを特徴とする請求項６に記載の放送受信装置。
【請求項８】
前記テーブルが、選択対象外の放送局を表す非選択情報をさらに含み、
前記決定部は、前記非選択情報に対応する放送局を飛び越えて放送局を選択することを特徴とする請求項６または７に記載の放送受信装置。
【請求項９】
放送方式毎に選択済みの放送局のリストを表すリスト情報を記憶する第２の記憶部をさらに具備し、
前記指定情報、前記テーブル、および前記リスト情報に基づいて、現在選択されている放送局が用いる放送方式の放送局の全てが選択済みの場合に、前記決定部が異なる放送方式の放送局を選択することを特徴とする請求項６乃至８のいずれか１項に記載の放送受信装置。
【請求項１０】
前記受付部が、遠隔操作装置からの指定情報を受信する
ことを特徴とする請求項１乃至９のいずれか１項に記載の放送受信装置。
【請求項１１】
請求項１乃至１０のいずれか１項に記載の放送受信装置と、
前記放送受信装置に指定情報を送信する遠隔操作装置と、
を具備することを特徴とする放送受信システム。
【請求項１２】
互いに異なる放送方式の放送局を含む、複数の放送局を識別する複数の局識別情報を含むテーブルを記憶するステップと、
選択する放送局を指定する指定情報を受け付けるステップと、
前記指定情報および前記テーブルに基づいて、選択する放送局を決定するステップと、
前記決定された放送局からの番組を再生するステップと、
を含むことを特徴とする放送受信方法。
【発明の詳細な説明】
【技術分野】
【０００１】
本発明は、互いに異なる放送方式の放送局を含む、複数の放送局を識別する放送受信装置、放送受信システムおよび放送受信方法に関する。
【背景技術】
【０００２】
従来では、画像表示装置に接続された複数の受信機の全ての視聴可能な全チャンネルをチャンネルアップ／ダウンボタンを押下し続けることで確認可能とする画像表示装置に関する技術が公開されている（特許文献１参照）。
【特許文献１】特開２００４−２５３９０５号公報
【発明の開示】
【発明が解決しようとする課題】
【０００３】
しかしながら、従来の技術では、視聴したい特定のチャンネルが選局されるまで、チャンネルアップ／ダウンボタンを押し続けなければならない。このボタンの押下操作は、視聴可能なチャンネル数が増えれば、増えるほど冗長的になり、選局に時間がかかるという問題点があった。
上記に鑑み、本発明は選局を迅速に行うことができる放送受信装置、放送受信システムおよび放送受信方法を提供することを目的とする。
【課題を解決するための手段】
【０００４】
本発明の一態様に係る放送受信装置は、互いに異なる放送方式の放送局を含む、複数の放送局を識別する複数の局識別情報を含むテーブルを記憶する記憶部と、選択する放送局を指定する指定情報を受け付ける受付部と、前記指定情報および前記テーブルに基づいて、選択する放送局を決定する決定部と、前記決定された放送局からの番組を再生する再生部と、を具備することを特徴とする。
【０００５】
本発明の一態様に係る放送受信方法は、互いに異なる放送方式の放送局を含む、複数の放送局を識別する複数の局識別情報を含むテーブルを記憶するステップと、選択する放送局を指定する指定情報を受け付けるステップと、前記指定情報および前記テーブルに基づいて、選択する放送局を決定するステップと、前記決定された放送局からの番組を再生するステップと、を含むことを特徴とする。
【発明の効果】
【０００６】
本発明によれば、選局を迅速に行うことができる放送受信装置、放送受信システムおよび放送受信方法を提供できる。
【発明を実施するための最良の形態】
【０００７】
以下、図面を参照して、本発明の実施の形態を詳細に説明する。
（第１の実施の形態）
図１は本発明の一実施形態に係る放送受信システムを表すブロック図である。
放送受信システムは、放送受信装置１００と、リモートコントローラ（以下、「リモコン」という）２００とを有する。
【０００８】
放送受信装置１００は、アンテナ１０１、複数のチューナ・復調部１０２〜１０５、デスクランブラ１０６、多重分離部（ＤＥＭＵＸ）１０７、映像・音声デコーダ１０８、ＯＳＤ部１０９、モニタ１１０、スピーカ１１１、ＥＰＧ処理部１１２、録画処理部１１３、記憶部１２０、システム制御部１３０、主制御部１４０を有する。
【０００９】
アンテナ１０１は、放送局から送信される放送信号を受信する。ＢＳＤチューナ・復調部１０２は、アンテナ１０１で受信されたＢＳデジタル放送方式の放送信号から所望の放送局（チャンネル）を選局し、復調して、トランスポートストリーム（以下、「ＴＳ」と記す）を生成する。
【００１０】
１１０ＣＳチューナ・復調部１０３は、アンテナ１０１で受信された１１０ＣＳ放送方式の放送信号から所望のチャンネルを選局し、復調して、ＴＳを生成する。これらの生成されたＴＳはデスクランブラ１０６に出力される。このＴＳは、スクランブル化放送信号、ＳＩ／ＰＳＩを含む多重化された信号である。スクランブル化放送信号は、例えば、ＭＰＥＧ−２の放送信号がスクランブル化されたものである。
【００１１】
地上Ｄチューナ・復調部１０４は、受信された地上デジタル放送方式の放送信号を復調して、映像・音声デコーダ１０８に出力する。地上Ａチューナ・復調部１０５は、受信された地上アナログ放送方式の放送信号を復調して、映像・音声デコーダ１０８に出力する。
【００１２】
ＳＩ／ＰＳＩは、番組配列情報である。ＳＩ（Service Information）は、ＳＤＴ（Service Definition Table）やＥＩＴ（Event Information Table）等を含む。ＳＤＴは、サービス（編成チャンネル）の詳細情報を記述するものであり、チャンネルの名称等を含む。ＥＩＴは、サービス内の番組の詳細情報を記述するものであり、番組名（番組の名称）等を含む。ＰＳＩは、多重された複数の番組の構成等を記述したものであり、ＰＡＴ（Program Association Table）、ＰＭＴ（Program Map Table）等を含む。ＰＳＩ（Program Specific Information）は、番組特定情報である。
【００１３】
デスクランブラ１０６は、チューナ・復調部１０２又は１０３から入力されたＴＳをデスクランブルして多重分離部１０７へ出力する。即ち、ＴＳ中のスクランブル化放送信号がデスクランブルされて、放送信号が生成される。
【００１４】
多重分離部（ＤＥＭＵＸ）１０７は、デスクランブラ１０６から入力されたＴＳから放送信号、ＳＩ／ＰＳＩ等を分離する。また、多重分離部１０７は、分離した放送信号を映像・音声デコーダ１０８へ出力する。
【００１５】
映像・音声デコーダ１０８は、多重分離部１０７、地上デジタルチューナ・復調部１０４、地上アナログチューナ・復調部１０５から入力された放送信号をデコードして、モニタ１１０、スピーカ１１１へと出力する。映像・音声デコーダ１０８は、番組を再生する再生部として機能する。
ＯＳＤ（On Screen Display）部１０９は、番組と重畳して、設定メニュー、番組表（放送番組表、録画予約番組表、録画済番組表）等をモニタ１１０に表示させる。
モニタ１１０は、ＣＲＴ、液晶表示装置等の表示装置である。スピーカ１１１は、音声出力装置である。
【００１６】
ＥＰＧ処理部１１２は、多重分離部１０７で分離されたＳＩデータから放送番組表（ＥＰＧ（Electronic Program Guide：電子番組ガイド））を構成し、さらに放送番組表の画像信号を生成する。この画像信号によってモニタ１１０に放送番組表が表示される。利用者は放送番組表を用いて番組を確認、予約できる。なお、放送番組表は主にＥＩＴを用いて作成される。
【００１７】
録画処理部１１３は、多重分離部１０７、あるいは映像・音声デコーダ１０８から出力される放送信号を用いて、放送を録画し、再生する。録画処理部１１３は、内蔵するメモリ、ハードディスク等の記憶部、あるいは外部の記憶装置や録画装置に放送番組を録画する。この録画の予約に放送番組表を利用できる。
【００１８】
記憶部１２０は、ＲＯＭ（Read Only Memory）１２１、ＤＲＡＭ(Dynamic Random Access Memory)１２２、ＮＶＲＡＭ（Non Volatile RAM：不揮発性メモリ）１２３で構成される。ＲＯＭ１２１は、システム制御部１３０や主制御部１４０が動作するためのプログラム等を記憶する。ＤＲＡＭ１２２は、システム制御部１３０のシステム制御や各チューナ・復調部１０２〜１０５からの入力信号のデコード処理で使用され、プログラムやデータ等が一時書き込まれる。
【００１９】
不揮発性メモリ１２３は、放送方式ボタンマップ記憶部１２４、数字ボタンマップ記憶部１２５、アップ／ダウン（Up/Down）ボタンマップ記憶部１２６、ラストチャンネル記憶部１２７を有する。ユーザ設定、ラスト放送方式・ラストチャンネルを記憶・保持する。
【００２０】
図２は、放送方式ボタンマップ記憶部１２４の一例を表す模式図である。放送方式ボタンマップ記憶部１２４は、ＢＳＤボタンマップ記憶部１２４ａ、１１０ＣＳボタンマップ記憶部１２４ｂ、地上Ｄボタンマップ記憶部１２４ｃ、地上Ａボタンマップ記憶部１２４ｄを有する。
【００２１】
ＢＳＤボタンマップ記憶部１２４ａは、図３の模式図の一例に表すように、数字ボタン番号の情報と、この数字ボタン番号に対応する放送局（チャンネル）と、選局スキップの有無が記憶されている。ここでの放送局とは、この実施形態に係るＢＳデジタルチューナが受信可能な放送局を示す。なお、この実施形態では、後述するリモコン２００に配置されている数字ボタンは、１２個である。このため、ＢＳＤボタンマップ記憶部１２４ａの数字ボタン番号の情報も０１〜１２に設定されている。
【００２２】
１１０ＣＳボタンマップ記憶部１２４ｂ、地上Ｄボタンマップ記憶部１２４ｃ、地上Ａボタンマップ記憶部１２４ｄも、ＢＳＤボタンマップ記憶部１２４ａと同様に、数字ボタン番号の情報と、この数字ボタン番号に対応する放送局（チャンネル）が記憶されている。なお、模式図の図示は、省略する。
【００２３】
図４は、数字ボタンマップ記憶部１２５の一例を表す模式図である。数字ボタンマップ記憶部１２５は、数字ボタン番号の情報と、この数字ボタン番号の情報に対応するアサインの情報とを含むテーブルが記憶されている。なお、本実施形態では、各数字ボタンへの登録可能局数を３局に設定した。この設定により、それぞれのアサイン１〜３に対して地上デジタル、ＢＳデジタル、１１０ＣＳの放送方式の情報と、各放送方式で受信可能な放送局とを対応づけて登録する。
【００２４】
アサインの情報は、複数の放送局を複数のグループに区分けするグループ区分情報として機能する。なお、複数のグループは、互いに異なる複数の放送方式にそれぞれ対応している。数字ボタン番号の情報は、異なるグループに属する複数の放送局の順序を識別する順序識別情報として機能する。放送方式の情報は、例えば地上デジタル放送方式、ＢＳデジタル放送方式および１１０ＣＳデジタル放送方式などの異なる放送方式、本実施形態ではチューナ１０２〜１０４を識別する方式識別情報として機能する。チャンネル情報は、複数の放送局、例えばＮＨＫ Ｇ、ＮＨＫ ＢＳ１、日本ＢＳ放送等の放送局を識別するための局識別情報である。
【００２５】
数字ボタンマップ記憶部１２５のおける数字ボタン番号の情報と、この数字ボタン番号に対応するアサインとの具体例を以下に表す。
数字ボタン
番号        アサイン１          アサイン２        アサイン３
01    ＝地上D:NHK G       →BSD:NHK BS1    →  登録無し
02    ＝地上D:NHK E-1     →BSD:NHK BS2    →  登録無し
03    ＝地上D:NHK E-3     →BSD:NHK BShi   →  登録無し
04    ＝地上D:日本テレビ  →BSD:BS日テレ   →  110CS 日本テレビ系列
05    ＝地上D:テレビ朝日  →BSD:BS朝日     →110CS テレビ朝日系列
06    ＝地上D:ＴＢＳ      →BSD:BSi        →110CS ＴＢＳ系列
07    ＝地上D:テレビ東京  →BSD:BSジャパン →  登録無し
08    ＝地上D:フジテレビ  →BSD:BSフジ     →110CS:フジテレビ系列
09    ＝地上D:東京 MX-TV  →BSD:WOWOW      →110CS:日本映画専門チャンネルHD
10    ＝  登録無し        →BSD:Star-ch HV →110CS:スターチャンネル系列1
11    ＝  登録無し        →BSD:日本BS放送 →110CS:スカチャン！HV
12    ＝地上D:  NHK G     →BSD:BS Twellv  →110CS: スカチャン!系列1
【００２６】
図５は、アップ／ダウンボタンマップ記憶部１２６の一例を示す模式図である。
アップ／ダウン（Up/Down）ボタンマップ記憶部１２６は、すべての放送方式で受信可能な全ての放送局を識別する局識別情報と、この局識別情報に対して、選局をスキップするか否かを設定するスキップ設定情報（スキップ設定マップ）とを含むテーブルが記憶されている。このスキップ設定マップは、図２に表した放送方式ボタンマップの選局スキップとは独立しており、お好みボタンの押下によって、所望の放送局を選択するための選択モードの実行時に使用される非選択情報として機能する。このスキップ設定マップにおいて、未登録の記憶領域があるが、これは各放送方式で使用していないチャンネル番号があることを表す。
【００２７】
チャンネル（Ｃｈ）番号は、複数の放送局の順序を識別するための順序識別情報として機能する。放送方式の情報は、例えば地上デジタル放送方式（地上Ｄ）、ＢＳデジタル放送方式（ＢＳＤ）および１１０ＣＳデジタル放送方式（１１０ＣＳ）などの異なる放送方式、本実施形態ではチューナ１０２〜１０４を識別する方式識別情報である。また、アップ／ダウンボタンマップ記憶部１２６が記憶するテーブルには、放送方式毎に選択がなされた選択済みの放送局を表す非選択情報のリストを含んでいる。
【００２８】
数字ボタンマップ記憶部１２５およびアップ／ダウンボタンマップ記憶部１２６は、互いに異なる放送方式の放送局を含む、複数の放送局を識別する複数の局識別情報を含むテーブルを記憶する記憶部として機能する。また、アップ／ダウンボタンマップ記憶部１２６は、放送方式毎に選択済みの放送局のリストを表すリスト情報を記憶する第２の記憶部として機能する。
【００２９】
ユーザは、システム制御部１３０のキー入力部１３２に接続されるキーボード等を使用して、このスキップ設定マップに登録されている放送局の中から、所望の局を選択してスキップの有無を設定することができる。
【００３０】
ラストチャンネル記憶部１２７は、最後に選択された放送方式（ラスト放送方式）の情報と、このラスト放送方式で最後に選択された放送局（ラストチャンネル）とを記憶する。このラストチャンネル記憶部１２７は、次に選択モードで放送局が選択されるまで、このラスト放送方式の情報とラストチャンネルとを保持し、新たに放送方式と、この放送方式で受信が可能な放送局が選択されると、新たな情報が読み込まれる。
【００３１】
システム制御部１３０は、ＣＰＵ（Central Processing Unit：中央演算装置）から構成され、無線受信部１３１、キー入力部１３２を有する。システム制御部１３０は、主制御部１４０の起動／停止制御、放送受信装置１００のシステムの監視を行う。
【００３２】
無線受信部１３１は、リモコン２００から無線（例えば、赤外線）で送信されるユーザ操作情報（指定信号）を受信する。
キー入力部１３２は、例えば、放送受信装置１００本体の操作ボタンである。また、キー入力部１３２として、例えば、キーボードのようなユーザ操作情報を入力する入力装置としても利用可能である。キー入力部１３２は、リモコン２００と同様に、ユーザ操作情報の入力も可能である。
【００３３】
無線受信部１３１およびキー入力部１３２は、指定情報を受け付ける受付部として機能する。
【００３４】
主制御部１４０は、ＣＰＵから構成され、読出部１４１、読込部１４２、マップ作成部１４３、選局処理部１４４を有する。主制御部１４０は、画像入力の対象となる放送方式のチューナの選択制御、モニタ１１０への表示処理制御を行う。
読出部１４１は、記憶部１２０からプログラム及びデータを読み込む。読込部１４２は、記憶部１２０にデータを記憶させる。
【００３５】
マップ作成部１４３は、キー入力部１３２から入力するデータを対応づけて、数字ボタンマップ記憶部１２５に記憶される数字ボタンマップ（図４参照）やアップ／ダウンボタンマップ記憶部１２６に記憶されるスキップ設定マップ（図５参照）を作成する。
選局処理部１４４は、画像入力を行うチューナの切り替え及び放送局の選択制御を行い、この選択された放送局から画像の取り込みを行う。選局処理部１４４は、指定情報および前記テーブルに基づいて、選択する放送局を決定する決定部としての機能を有する。
【００３６】
図６は、リモコン２００の一例を表す正面図である。
このリモコン２００は、遠隔操作装置としての機能を有する。このリモコン２００は、ＢＳＤボタン２０１、１１ＣＳボタン２０２、地上Ｄボタン２０３、地上Ａボタン２０４、お好みボタン２０５、０１〜１２の数字選択ボタン２０６、チャンネルアップ／ダウン（Up/Down）ボタン２０７、音量アップ／ダウン（Up/Down）ボタン２０８を有する。
リモコン２００は、放送受信装置１００に指定情報を送信する遠隔操作装置としての機能を有する。
【００３７】
ＢＳＤボタン２０１は、ＢＳデジタル放送方式を選択するための選択ボタンである。１１０ＣＳボタン２０２は、１１０ＣＳ放送方式を選択するための選択ボタンである。地上Ｄボタン２０３は、地上デジタル放送方式を選択するための選択ボタンである。地上Ａボタン２０４は、地上アナログ放送方式を選択するための選択ボタンである。お好みボタン２０５は、選択モードを選択するための選択ボタンであり、選択モードを実行するための要求情報を出力する第１の出力部としての機能を有する。
【００３８】
お好みボタンが押されない場合は、以下のように動作する。
「０１」〜「１２」の数字選択ボタン２０６は、各「０１」〜「１２」の番号に対応づけられた放送局を直接選択するための選択ボタンである。例えば「０１」の選択ボタンには、図３で表したように、ＢＳデジタル放送方式のＮＨＫ ＢＳ１が記憶されている。ユーザがＢＳデジタル放送方式専用のＢＳＤボタン２０１を押下し、この「０１」の選択ボタンを押すと、このＮＨＫ ＢＳ１の放送局が選択され、この放送局からの画像の入力が可能となる。専用の１１０ＣＳボタン２０２、地上Ｄボタン２０３および地上Ａボタン２０４を押下して、数字選択ボタンを押下した場合も、ＢＳデジタル放送方式と同様に、それぞれの専用の放送方式での番組再生が可能となる。
【００３９】
これに対して、お好みボタンが押した場合は、以下のように動作する。
本実施形態では、リモコン２００の数字選択ボタン２０６の各数字番号の情報が、数字ボタンマック記憶部１２５に記憶されている数字ボタン番号の情報に対応する。この数字ボタン番号の情報は、図４に表したように、例えば「０１」の数字ボタン番号の情報には、アサイン１、２のグループに属する地上デジタル（地上Ｄ）放送方式のＮＨＫ Ｇの放送局と、ＢＳデジタル（ＢＳＤ）放送方式のＮＨＫ ＢＳ１の放送局と対応されて記憶されている。ここで、ユーザがお好みボタン２０５を押下し、次にこの「０１」の数字選択ボタンを押すと、このＮＨＫ Ｇの放送局又はＮＨＫ ＢＳ１の放送局が直接選択され、この放送局からの画像の入力が可能となる。また、リモコン２００の数字選択ボタン２０６を押すたびに、同じ数字ボタン番号の情報に対応したグループに属する放送局がサイクリックに選択される。
【００４０】
このように、本実施形態では、数字ボタン番号に対応して、互いに異なる複数の放送方式の複数の放送局の情報を、数字ボタンマップ記憶部１２５に記憶させる。この結果、同じ数字選択ボタンの押下で、互いに異なる放送方式の放送局をサイクリックに選択することができ、また一度お好み選択ボタンを押下すれば、その後はそれぞれの数字選択ボタンの押下だけで、異なる放送方式の放送局を直接選択できる。従って、ユーザは、望む選局を迅速に行うことができ、さらに現在選択されている放送局から異なる放送方式の放送局に局変更を行う場合も、選局の変更を迅速に行うことができる。
【００４１】
お好みボタンが押されない場合は、以下のように動作する。
チャンネルアップ／ダウンボタン２０７は、放送局の順次選局を行うための選択ボタンである。例えばユーザがＢＳＤボタン２０１を押下し、チャンネルアップ／ダウンボタン２０７のアップ（Up）側またはダウン側（Down）を押下すると、ＢＳデジタル放送方式の放送局のみがサイクリックに選択される。
【００４２】
これに対して、お好みボタンが押した場合は、以下のように動作する。
本実施形態では、ユーザがお好みボタン２０５の押下の次にアップ側が押されると、例えば地上Ｄ放送方式の「０１」チャンネルがラストチャンネルの場合、図５に表した地上Ｄ放送方式の「０１」チャンネルから「１０」チャンネル方向に順次遷移する。そして、この遷移が一巡すると、次にＢＳＤ放送方式の「０１」チャンネルから「１２」チャンネル方向に順次遷移する。さらに、ＢＳＤ放送方式での遷移が一巡すると、１１０ＣＳ放送方式の「０１」チャンネルから「７０」チャンネル方向に順次遷移する。このように、チャンネルのアップ方向への遷移をサイクリックに行うことで、放送局の選択がなされる。
【００４３】
また、ダウン側が押された場合は、これとは逆に、地上Ｄ放送方式の「０１」チャンネルから「１０」、「０９」、…と、ダウン方向に順次遷移する。そしてこの遷移が一巡すると、ＢＳＤ放送方式、次いで１１０ＣＳ放送方式と順に「０１」チャンネルからダウン方向への遷移をサイクリックに行うことで、放送局の選択がなされる。なお、この遷移は、上述した選局処理部１４４の有するカウンタが、チャンネルアップ／ダウンボタン２０７の押下に基づく、カウントアップ／カウントダウンの計数によって行われる。
【００４４】
これらのお好みボタン２０５、「０１」〜「１２」の数字選択ボタン２０６およびチャンネルアップ／ダウン（Up/Down）ボタン２０７の押下によって出力される情報は、指定情報として機能する。
【００４５】
このように、本実施形態では、互いに異なる複数の放送方式の複数の放送局の情報を、アップ／ダウンボタンマップ記憶部１２６に記憶させる。チャンネルアップ／ダウンボタン２０７からの指定に基づいて、異なる複数の放送方式の複数の放送局をアップ方向またはダウン方向に遷移させて、放送局の選択を行う。この結果、チャンネルアップ／ダウンボタンの押下だけで、異なる放送方式の放送局を順次選択することができる。また一度お好み選択ボタンを押下すれば、その後はチャンネルアップ／ダウンボタンの押下だけで、異なる放送方式の放送局を直接選択できる。従って、ユーザは、望む選局を迅速に行うことができる。さらに、現在選択されている放送局から異なる放送方式の放送局に局変更を行う場合も、選局の変更を迅速に行うことができる。
【００４６】
音量アップ／ダウンボタン２０８は、音量を調整するための選択ボタンである。なお、音量アップ/ダウンボタン２０８においては、アップ（Up）側を押すと音量の上昇方向に、ダウン（Down）側を押すと音量の下降方向に順次遷移を行う。この遷移も、選局処理部１４４の有するカウンタの計数によって行われる。
さらに、リモコン２００は、これらボタンの押下により発生する指定信号を無線送信する図示しない無線送信部を有する。
【００４７】
（放送受信装置１００の動作）
図７は、放送受信装置１００の動作手順の一例を表すメインフロー図である。
図７において、リモコン２００のお好みボタン２０５が押されると、ユーザによるユーザ設定の有無を判断する（ステップＳ１１）。ここで、ユーザ設定がなされていない場合は、従来の地上アナログ放送方式での局選択処理を行う（ステップＳ１２）。また、ユーザ設定がなされている場合は、ラストチャンネル記憶部１２７に記憶されているラスト放送方式の情報と、ラストチャンネルの情報を読み出し（ステップＳ１３）、このラストチャンネルを選局する（ステップＳ１４）。
【００４８】
次に、放送受信装置１００（選局処理部１４４）は、ボタン操作が行われたか否か（ステップＳ１５）、そのボタン操作が数字選択ボタン２０６か（ステップＳ１６）、チャンネルアップ／ダウンボタン２０７か（ステップＳ１７）、判断する。いずれのボタン操作でない場合は、その他の処理を行って（ステップＳ１８）、次にボタン操作を待つ（ステップＳ１５）。
【００４９】
ここで、そのボタン操作が数字選択ボタン２０６の場合は、図８の動作手順に遷移する（Ａ）。また、そのボタン操作がチャンネルアップ／ダウンボタン２０７の場合は、
図９の動作手順に遷移する（Ｂ）。
【００５０】
図８は、数字選択ボタンを用いた放送受信装置１００の動作手順の一例を表すサブフロー図である。
図８において、放送受信装置１００は、数字選択ボタン２０６が押される（ステップＳ１６）と、数字ボタンマップ記憶部１２５からこの数字選択ボタン２０６の数字に該当するアサイン１〜３を読み出し（ステップＳ２０）、現在選局されている放送局が読み出したアサイン１〜３のいずれかに該当するかを判断する（ステップＳ２１、Ｓ２５、Ｓ２８）。
【００５１】
本実施形態では、現在選局されている放送局に該当するアサインと異なるアサインの放送局が選択されるものである。すなわち、現在選局されている放送局が、読み出したアサイン３に該当する場合は、読み出したアサイン１に登録があるか否か判断し（ステップＳ２２）、アサイン１に登録がある場合は、このアサイン１を選局する（ステップＳ２３）。そして、この選局したアサイン１の所定放送方式をラスト放送方式として、またこの所定放送方式の放送局をラストチャンネルとして読み込み（ステップＳ２４）。
【００５２】
現在選局されている放送局が、読み出したアサイン１に該当する場合は、読み出したアサイン２に登録があるか否か判断し（ステップＳ２６）、アサイン２に登録がある場合は、このアサイン２を選局する（ステップＳ２７）。そして、この選局したアサイン２の所定放送方式をラスト放送方式として、またこの所定放送方式の放送局をラストチャンネルとして読み込み（ステップＳ２４）。
【００５３】
現在選局されている放送局が、読み出したアサイン２に該当する場合は、読み出したアサイン３に登録があるか否か判断し（ステップＳ２９）、アサイン３に登録がある場合は、このアサイン３を選局する（ステップＳ３０）。そして、この選局したアサイン３の所定放送方式をラスト放送方式として、またこの所定放送方式の放送局をラストチャンネルとして読み込み（ステップＳ２４）。
【００５４】
現在選局されている放送局が、読み出したアサイン１〜３のいずれにも該当しない場合は（Ｃ）、読み出したアサイン１〜３のいずれかに放送局の登録があるか否か判断する（ステップＳ２２、Ｓ２６、Ｓ２９）。
【００５５】
ここで、読み出したアサイン１に放送局の登録がある場合は、このアサイン１を選局する（ステップＳ２３）。そして、この選局したアサイン１の所定放送方式をラスト放送方式として、またこの所定放送方式の放送局をラストチャンネルとして読み込み（ステップＳ２４）。
【００５６】
読み出したアサイン２に放送局の登録がある場合は、このアサイン２を選局する（ステップＳ２７）。そして、この選局したアサイン２の所定放送方式をラスト放送方式として、またこの所定放送方式の放送局をラストチャンネルとして読み込み（ステップＳ２４）。
【００５７】
読み出したアサイン３に放送局の登録がある場合は、このアサイン３を選局する（ステップＳ３０）。そして、この選局したアサイン３の所定放送方式をラスト放送方式として、またこの所定放送方式の放送局をラストチャンネルとして読み込み（ステップＳ２４）。
【００５８】
また、読み出したアサイン１〜３に放送局の登録がない場合は、数字ボタンマップ記憶部１２５にチャンネルが登録されていない旨の通知、例えばモニタへの表示通知またはスピーカ１１１からの音声通知を行い（ステップＳ３１）、図７のステップＳ１５に戻って、次のボタン操作を待つ。
【００５９】
次に、同じ数字選択ボタン２０６が続けて押された場合を説明する。
まず、数字選択ボタン２０６の数字に該当するアサイン１〜３を読み出し（ステップＳ２０）、現在選局されている放送局が読み出したアサイン１〜３に該当するか否か比較する（ステップＳ２１、Ｓ２５、Ｓ２８）。ここで、現在の選局がアサイン３と一致する場合には、アサイン１を選局して（ステップＳ２３）、このアサイン１の放送局をラストチャンネルとして記憶する（ステップＳ２４）。次に、同じ数字選択ボタン２０６が続けて押されると、同様に数字選択ボタン２０６の数字に該当するアサイン１〜３を読み出し（ステップＳ２０）、現在選局されている放送局が読み出したアサイン１〜３に該当するか否か比較する（ステップＳ２１、Ｓ２５、Ｓ２８）。ここでは、アサイン１の放送局がラストチャンネルとして記憶されているので、ステップＳ２５で現在の選局がアサイン１と一致し、アサイン２の放送局を選局する（ステップＳ２７）。同様に、もう１度同じ数字選択ボタン２０６が押されると、ステップＳ３０でアサイン３の放送局を選局することができる。
【００６０】
このように、本実施形態では、各数字選択ボタンに異なる放送方式の任意の放送局を割り当てて、同一の数字選択ボタンを押すたびに、この割り当てられた放送方式の放送局を直接選局する。この結果、任意に割り当てられた放送方式の放送局のみを選局でき、従来のように登録された全ての放送方式の全ての放送局を順次選局する場合に比べて、視聴したい放送局を迅速に選局することができる。
【００６１】
図９は、アップ／ダウンボタンを用いた放送受信装置１００の動作手順の一例を表すサブフロー図である。
図９において、放送受信装置１００は、チャンネルアップ／ダウンボタン２０７が押されると（ステップＳ１７）、現在選局されている放送方式内に選局可能なチャンネルがあるか否か判断する。（ステップＳ４１）
【００６２】
現在選局されている放送方式内に選局可能なチャンネルがない場合は、チューナを選択する初期値ｎを「０」に設定し（ステップＳ４２）、チャンネルアップ／ダウンボタン２０７が押された昇順又は降順方向に放送方式を選択する（ステップＳ４３）。次に、この選択した隣のアサインの放送方式内にチャンネル（放送局）の設定（図５に表したスキップしない放送局）があるか否か判断する（ステップＳ４４）。
【００６３】
この選択した隣のアサインの放送方式内にチャンネル（放送局）の設定（スキップしない放送局）がない場合は、チューナを選択する初期値ｎに「１」を加え（ステップＳ４５）、このｎが（チューナの数−１）より大きいかどうか判断する（ステップＳ４６）。ここで、ｎが２より大きくなっていない場合、すなわち図５に表した全て（この実施形態では、３個）のチューナに対してチャンネル設定の判断を行っていない場合は、ステップＳ４３に戻って、チャンネルアップ／ダウンボタン２０７が押された昇順又は降順方向に放送方式を選択する。
【００６４】
また、ｎが２より大きくなった場合、すなわち図５に表した全ての放送方式（この実施形態では、３個のチューナ）に対してチャンネル設定の判断を行った場合は、チャンネル設定の判断が全てチューナに対して終了し、全ての放送方式に選局可能なチャンネルが登録されていないと判断し、その旨の通知、例えばモニタ１１０への表示通知またはスピーカ１１１からの音声通知を行い（ステップＳ４７）、図７のステップＳ１５に戻って、次のボタン操作を待つ。
【００６５】
ステップＳ４１で、現在選局されている放送方式内に選局可能なチャンネルが登録されている場合、またステップＳ４４で、選択した放送方式内にチャンネルの設定がある場合は、チャンネルアップ／ダウンボタン２０７が押された昇順又は降順方向に選局可能な放送局があるか否か判断する（ステップＳ４８）。
【００６６】
この昇順又は降順方向に選局可能な放送局が登録されていない場合は、さらにチャンネルアップ／ダウンボタン２０７が押された昇順又は降順方向に放送方式を選択させて（ステップＳ４９）、この昇順又は降順方向に選局可能なチャンネルが登録されているか否か判断する（ステップＳ５０）。
ここで、この昇順又は降順方向に選局可能な放送局が登録されてない場合は、ステップＳ４９に戻って、さらにチャンネルアップ／ダウンボタン２０７が押された昇順又は降順方向に放送方式を選択させて、隣のアサインの放送方式に選局可能な放送局を検索する。
【００６７】
また、ステップＳ４８でチャンネルアップ／ダウンボタン２０７が押された昇順又は降順方向の隣のアサインの放送方式に選局可能な放送局が登録されている場合、又はステップＳ５０でこの昇順又は降順方向の隣の放送方式に選局可能な放送局が登録されている場合はその放送局を選局する（ステップＳ５４１）。そして、選局した放送局を、次回の最後に視聴した放送局として使用するために、ラストチャンネルとしてラストチャンネル記憶部１２７に記憶させた（ステップＳ５２）後、ステップＳ１５戻って、次のボタン操作を待つ。
【００６８】
以上のように、本実施形態では、図５に表した専用のアップ／ダウンボタンマップ記憶部を設け、任意の放送局のみをユーザ設定で登録できるようにする。このアップ／ダウンボタンマップ記憶部に対して、チャンネルアップ／ダウンボタンのボタン操作のみで異なる放送方式の放送局を順次選択して選局する。この結果、任意に登録した異なる放送方式の放送局のみを選局でき、従来のように登録された全ての放送方式の全ての放送局を順次選局する場合に比べて、視聴したい放送局を迅速に選局することができる。
【００６９】
（第２の実施の形態）
本発明の第２の実施形態を説明する。
図１０は、本発明の第２実施形態に係るリモートコントローラを表す正面図である。
このリモコン２００は、地上アナログ放送方式の選択機能とお好み選択モードの機能を１つの選択ボタン２０９に割り当てる。本実施形態では、例えば選択ボタン２０９の地上Ａ側を押すと、地上アナログ放送方式が選択され、お好み側を押すと、選択モードの機能が選択される。
【００７０】
この地上アナログ放送方式は、２０１１年７月末以降に停波する予定である。この停波の後に、ケーブルテレビに加入していない場合、又はケーブルテレビが原稿のＣＡＴＶチャンネルでの放送を停止した場合、現行の地上Ａ選択ボタン及びそれに関連する機能が利用できなくなる。このような場合は、地上Ａ選択ボタンにお好み選択ボタン機能を割り当てることで、リモコン２００に配設された地上Ａ選択ボタンを有効利用することができる。
【００７１】
なお、本実施形態では、上記地上Ａ選択ボタンにお好み選択ボタンの機能を割り当てるだけに限らず、他の選択ボタン、例えばＢＳＤボタン２０１に１１ＣＳの選択ボタンの機能を割り当てることも可能である。これにより、本実施形態では、１つの選択ボタンを更に有効利用することができ、選択ボタンの数を減らして、リモコンの小型化及び省資源化を図ることができる。
【００７２】
（その他の実施形態）
本発明の実施形態は上記の実施形態に限られず拡張、変更可能であり、拡張、変更した実施形態も本発明の技術的範囲に含まれる。
【図面の簡単な説明】
【００７３】
【図１】本発明の第１実施形態に係る局選択システムを表すブロック図である。
【図２】各放送方式ボタンマップ記憶部の一例を表す模式図である。
【図３】ＢＳデジタル方式ボタンマップ記憶部の一例を表す模式図である。
【図４】数字ボタンマップ記憶部の一例を表す模式図である。
【図５】アップ／ダウンボタンマップ記憶部の一例を示す模式図である。
【図６】リモートコントローラの一例を表す正面図である。
【図７】放送受信装置の動作手順の一例を表すメインフロー図である。
【図８】数字選択ボタンを用いた動作手順の一例を表すサブフロー図である。
【図９】アップ／ダウンボタンを用いた動作手順の一例を表すサブフロー図である。
【図１０】本発明の第２実施形態に係るリモートコントローラを表す正面図である。
【符号の説明】
【００７４】
１００…放送受信装置、１０２〜１０５…チューナ・復調部、１０８…映像・音声デコーダ、１１０…モニタ、１１１…スピーカ、１２０…記憶部、１２３…不揮発性メモリ、１２５…数字ボタンマップ記憶部、１２６…アップ／ダウンボタンマップ記憶部、１２７…ラストチャンネル記憶部、１３０…システム制御部、１３１…無線受信部、１３２…キー入力部、１４０…主制御部、１４１…読出部、１４２…読込部、１４３…マップ作成部、１４４…選局処理部、２００…リモコン、２０６…数字選択ボタン、２０７…チャンネルアップ／ダウンボタン、２０９…選択ボタン
【図１】
2009290577.tif 000003
【図２】
2009290577.tif 000004
【図３】
2009290577.tif 000005
【図４】
2009290577.tif 000006
【図５】
2009290577.tif 000007
【図６】
2009290577.tif 000008
【図７】
2009290577.tif 000009
【図８】
2009290577.tif 000010
【図９】
2009290577.tif 000011
【図１０】
2009290577.tif 000012